(57)【要約】【課題】顧客等の説明対象者の属性情報が相違しても、説明スライドを適切な内容とすることが可能なため、適切な練習ができ、練習の評価を評価者のスケジュール等にかかわらず適切に得ることができるスライド情報管理装置等を提供すること。【解決手段】複数の種類毎の種類別説明スライド部４１を有し、種類別説明スライド群は、説明対象者の属性情報の相違に基づき、内容の異なる第１説明スライド部と関連付けられており、複数の前記第１説明スライド部は、その内容に応じて、第２説明スライド部と関連付けられ、種類別説明スライド部について説明者から入力された説明者練習情報を記憶する練習情報記憶部５４を有し、説明者練習情報の評価情報を種類別説明スライド部及び説明者識別情報と関連付けて記憶するスライド情報管理装置３０。【選択図】図１４
2018084936.tif 000002
【特許請求の範囲】
【請求項１】
複数の種類毎の種類別説明スライド部を有し、
前記種類別説明スライド群は、説明対象者の属性情報の相違に基づき、内容の異なる複数の第１説明スライド部と関連付けられており、
複数の前記第１説明スライド部は、それぞれ、その内容に応じて、第２説明スライド部と関連付けられ、
前記種類別説明スライド部について説明者から入力された説明者練習情報を記憶する練習情報記憶部を有すると共に、前記説明者練習情報を評価する評価情報を前記種類別説明スライド部及び説明者識別情報と関連付けて記憶する構成となっていることを特徴とするスライド情報管理装置。
【請求項２】
前記種類別説明スライド部を構成する説明スライドの修正情報を記憶すると共に、前記修正部分である修正部分情報を未確定修正情報として他の情報と区別しうる状態で記憶し、
前記未確定修正情報の入力が所定の条件を具備したときは、当該未確定修正情報を確定修正情報に変更する構成となっていることを特徴とする請求項１に記載のスライド情報管理装置。
【請求項３】
前記種類別説明スライド部を構成する前記説明スライドの前記修正情報が端末装置から入力されたときは、当該修正情報が含まれる前記種類別説明スライド部を他の端末装置に送信するか否かの選択画面が表示され、
送信すべき旨の情報が入力されたときは、当該修正情報が含まれる前記種類別説明スライド部を他の端末装置に送信すると共に、送信すべき旨の入力情報が入力された端末装置を送信元情報、送信された前記種類別説明スライド部を送信対象情報、そして、送信先の端末装置を送信先情報として、これらを関連付けて記憶することを特徴とする請求項２に記載のスライド情報管理装置。
【請求項４】
前記スライド情報管理装置と通信可能な端末装置を有することを特徴とする請求項１乃至請求項３のいずれか１項に記載のスライド情報管理装置を備えるスライド情報管理システム。
【請求項５】
各種情報を表示する表示部と、
複数の種類毎の種類別説明スライド部を有するスライド情報管理装置の制御方法であって、
説明対象者の複数の属性情報を前記表示部に表示し、選択された前記属性情報に関連付けられている複数の第１説明スライド部を前記表示部に表示し、
選択された前記第１説明スライド部に関連付けられている第２説明スライド部を前記表示部に表示し、
前記種類別説明スライド部について説明者から入力された説明者練習情報を練習情報記憶部に記憶し、
前記説明者練習情報を評価する評価情報を前記種類別説明スライド群及び説明者識別情報と関連つけて記憶する構成となっていることを特徴とするスライド情報管理装置の制御方法。
【請求項６】
各種情報を表示する表示部と、複数の種類毎の種類別説明スライド部を有するスライド情報管理装置に、説明対象者の複数の属性情報を前記表示部に表示し、選択された前記属性情報に関連付けられている複数の第１説明スライド部を前記表示部に表示する工程と、
選択された前記第１説明スライド部に関連付けられている第２説明スライド部を前記表示部に表示する工程と、
前記種類別説明スライド部について説明者から入力された説明者練習情報を練習情報記憶部に記憶する工程と、
前記説明者練習情報を評価する評価情報を前記種類別説明スライド群及び説明者識別情報と関連つけて記憶する工程と、を実現させるためのスライド情報管理装置の制御プログラム。
【発明の詳細な説明】
【技術分野】
【０００１】
本発明は、例えば、営業担当者等が顧客等に対して示すスライドを管理するスライド情報管理装置、スライド情報管理システム、スライド情報管理装置の制御方法及びスライド情報管理装置の制御プログラムに関するものである。
【背景技術】
【０００２】
従来、営業担当者等の営業活動を支援するスライド情報をスライド毎に容易に利用できる装置等が提案されている（例えば、特許文献１）。
また、営業担当者は、実際に顧客に対して自社商品の説明をする際、かかる説明スライドを使用するため、事前に使用予定の説明スライドを用いて練習することが多い。
この練習の際、顧客の属性（例えば、所属や専門等）の違いや顧客の対象商品の使用方法の違い等に応じて、使用する説明スライドを変更して練習する必要がある。
【先行技術文献】
【特許文献】
【０００３】
【特許文献１】特開２０１５−０７５９４１号公報
【発明の概要】
【発明が解決しようとする課題】
【０００４】
しかし、練習をする営業担当者等の経験が浅いと、顧客の属性や商品の使用方法の違い等によって、適切な説明スライドに変更して練習することは困難である。
また、練習として行った商品の説明の内容が適切であったか否かは、練習内容を聞いて評価者に評価させる必要があるが、かかる評価者と営業担当者等とのスケジュール等を合わせることが困難な場合が多く、営業担当者等は、自己の練習の評価を速やかに得ることが困難であった。
【０００５】
そこで、本発明は、顧客等の説明対象者の属性情報が相違しても、説明スライドの内容を適切な内容の説明スライドに合致させることが可能なため、適切な練習が可能となると共に、当該練習の評価を評価者のスケジュール等にかかわらず適切に得ることができるスライド情報管理装置、スライド情報管理システム、スライド情報管理装置の制御方法及びスライド情報管理装置の制御プログラムを提供することを目的とする。
【課題を解決するための手段】
【０００６】
前記目的は、本発明によれば、複数の種類毎の種類別説明スライド部を有し、前記種類別説明スライド群は、説明対象者の属性情報の相違に基づき、内容の異なる複数の第１説明スライド部と関連付けられており、複数の前記第１説明スライド部は、それぞれ、その内容に応じて、第２説明スライド部と関連付けられ、前記種類別説明スライド部について説明者から入力された説明者練習情報を記憶する練習情報記憶部を有すると共に、前記説明者練習情報を評価する評価情報を前記種類別説明スライド部及び説明者識別情報と関連付けて記憶する構成となっていることを特徴とするスライド情報管理装置により達成される。
【０００７】
前記構成によれば、種類別説明スライド部を説明する対象である説明対象者の属性情報が相違しても、当該属性情報を有する説明対象者向けの説明スライドの構成に自動的に変更することができる。
このため、例え経験の浅い説明者であっても、様々な属性情報を有する説明対象者向きの適切な説明スライドの練習をすることができる。
すなわち、顧客等の説明対象者の属性情報等が相違しても、説明スライドの内容を適切な内容の説明スライドに合致させることが可能なため、効果的な練習が可能となる。
また、前記構成によれば、種類別説明スライド部について説明者から入力された説明者練習情報を記憶するので、当該情報を評価者の端末等に送信することで、評価者のスケジュール等にかかわらず適切にその評価情報を得ることができる。
また、このように得られた評価情報は、種類別説明スライド部及び説明者識別情報と関連付けられるので、説明者は自己の評価を容易に把握することができる。
【０００８】
好ましくは、前記種類別説明スライド部を構成する説明スライドの修正情報を記憶すると共に、前記修正部分である修正部分情報を未確定修正情報として他の情報と区別しうる状態で記憶し、前記未確定修正情報の入力が所定の条件を具備したときは、当該未確定修正情報を確定修正情報に変更する構成となっていることを特徴とする。
【０００９】
前記構成によれば、説明スライドの修正情報を記憶することで、修正情報を他の端末等からも取得可能とすることができ、関係者間で修正情報を共有することができる。
また、修正部分情報を未確定修正情報として他の情報と区別しうる状態（例えば、他の情報が標準文字で、未確定修正情報が太字等）で記憶することで、修正情報が未確定修正情報であることも関係者間で把握することができる。
また、未確定修正情報の入力が所定の条件を具備して確定修正情報に変更されたときもその事実を関係者間で共有することができる。
【００１０】
好ましくは、前記種類別説明スライド部を構成する前記説明スライドの前記修正情報が端末装置から入力されたときは、当該修正情報が含まれる前記種類別説明スライド部を他の端末装置に送信するか否かの選択画面が表示され、送信すべき旨の情報が入力されたときは、当該修正情報が含まれる前記種類別説明スライド部を他の端末装置に送信すると共に、送信すべき旨の入力情報が入力された端末装置を送信元情報、送信された前記種類別説明スライド部を送信対象情報、そして、送信先の端末装置を送信先情報として、これらを関連付けて記憶することを特徴とする。
【００１１】
前記構成によれば、修正情報を入力した端末装置が、修正情報の共有を求める他の端末装置（例えば、部下の端末装置）へ修正情報を含む種類別説明スライド部を送信することを求めたときは、その修正情報を含む種類別説明スライド部を送信する。
そして、送信元の端末装置の情報、送信された種類別説明スライド部情報、そして、送信先の端末装置の情報を関連付けて記憶することで、組織内等における人間関係等を容易に把握することができる。
すなわち、端末装置間の修正スライド情報を含む種類別説明スライド部情報の送信履歴等が分かるので、これら端末装置の使用者を特定することで、人間関係を把握することができる、また、有効な情報を提供しない事実等の不作為状態も把握できるので、組織内における問題点等を分析するための有効な情報ともなる。
【００１２】
好ましくは、前記スライド情報管理装置と通信可能な端末装置を有することを特徴とする。
【００１３】
前記目的は、本発明によれば、各種情報を表示する表示部と、複数の種類毎の種類別説明スライド部を有するスライド情報管理装置の制御方法であって、説明対象者の複数の属性情報を前記表示部に表示し、選択された前記属性情報に関連付けられている複数の第１説明スライド部を前記表示部に表示し、選択された前記第１説明スライド部に関連付けられている第２説明スライド部を前記表示部に表示し、前記種類別説明スライド部について説明者から入力された説明者練習情報を練習情報記憶部に記憶し、前記説明者練習情報を評価する評価情報を前記種類別説明スライド群及び説明者識別情報と関連つけて記憶する構成となっていることを特徴とするスライド情報管理装置の制御方法により達成される。
【００１４】
前記目的は、本発明によれば、各種情報を表示する表示部と、複数の種類毎の種類別説明スライド部を有するスライド情報管理装置に、説明対象者の複数の属性情報を前記表示部に表示し、選択された前記属性情報に関連付けられている複数の第１説明スライド部を前記表示部に表示する工程と、選択された前記第１説明スライド部に関連付けられている第２説明スライド部を前記表示部に表示する工程と、前記種類別説明スライド部について説明者から入力された説明者練習情報を練習情報記憶部に記憶する工程と、前記説明者練習情報を評価する評価情報を前記種類別説明スライド群及び説明者識別情報と関連つけて記憶する工程と、を実現させるためのスライド情報管理装置の制御プログラムにより達成される。
【発明の効果】
【００１５】
本発明は、顧客等の説明対象者の属性情報が相違しても、説明スライドの内容を適切な内容の説明スライドに合致させることが可能なため、適切な練習が可能となると共に、当該練習の評価を評価者のスケジュール等にかかわらず適切に得ることができるスライド情報管理装置、スライド情報管理システム、スライド情報管理装置の制御方法及びスライド情報管理装置の制御プログラムを提供できるという利点がある。
【図面の簡単な説明】
【００１６】
【図１】本発明のスライド情報管理システムである例えば、Ｈ製薬会社の販売薬剤スライド管理システムを示す概略図である。
【図２】図１のＭＲ用端末及び評価者用端末の主な構成を示す概略ブロック図である。
【図３】図１のスライド管理サーバの主な構成を示す概略ブロック図である。
【図４】図３の第１のサーバ側各種情報記憶部の主な構成を示す概略ブロック図である。
【図５】図３の第２のサーバ側各種情報記憶部の主な構成を示す概略ブロック図である。
【図６】図３の第３のサーバ側各種情報記憶部の主な構成を示す概略ブロック図である。
【図７】図３の第４のサーバ側各種情報記憶部の主な構成を示す概略ブロック図である。
【図８】図３の第５のサーバ側各種情報記憶部の主な構成を示す概略ブロック図である。
【図９】ＭＲが説明対象者である医師等の医療従事者にＨ製薬会社の販売薬剤の説明をスライドを用いて行う練習等の工程を示す概略フローチャートである。
【図１０】ＭＲが説明対象者である医師等の医療従事者にＨ製薬会社の販売薬剤の説明をスライドを用いて行う練習等の工程を示す他の概略フローチャートである。
【図１１】ＭＲ（Ｘ）の上司であるＭＲ（Ｙ）がＭＲ用端末を介して、図４の「販売薬剤スライド記憶部」内に記憶されているスライドを修正等する工程を示す概略フローチャートである。
【図１２】ＭＲ（Ｘ）の上司であるＭＲ（Ｙ）がＭＲ用端末を介して、図４の「販売薬剤スライド記憶部」内に記憶されているスライドを修正等する工程を示す他の概略フローチャートである。
【図１３】ＭＲ（Ｘ）の上司であるＭＲ（Ｙ）がＭＲ用端末を介して、図４の「販売薬剤スライド記憶部」内に記憶されているスライドを修正等する工程を示す他の概略フローチャートである。
【図１４】修正事項が記憶された「販売薬剤スライド記憶部」を示す概略説明図である。
【図１５】確定データとされた修正事項が記憶された「販売薬剤スライド記憶部」を示す概略説明図である。
【発明を実施するための形態】
【００１７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明のスライド情報管理システムである例えば、Ｈ製薬会社の販売薬剤スライド管理システム１を示す概略図である。
図１に示すように、販売薬剤スライド管理システム１は、例えば、Ｈ製薬会社内に配置されているスライド情報管理装置である例えば、「スライド管理サーバ３０」を有している。
また、同システム１は、Ｈ製薬会社の営業担当者であり説明者である例えば、医薬情報提供者（ＭＲ（Ｍｅｄｉｃａｌ  Ｒｅｐｒｅｓｅｎｔｉｖｅ））（Ｘ）が営業活動で持参する端末装置である例えば、ＭＲ用端末１０ａと、その上司であるＭＲ（Ｙ）が持参するＭＲ用端末１０ｂ、そして、ＭＲ（Ｘ）が説明スライドを使用して、Ｈ製薬会社の薬剤の説明の練習をしたときに、その練習内容を評価する評価者（Ｚ）が持参する評価者用端末１０ｃを有している。
【００１９】
これらＭＲ用携帯端末１０ａ及び１０ｂ、評価者用端末１０ｃは、図１に示すように、基地局３ａ、３ｂ、３ｃとインターネット網２等を介して、スライド管理サーバ３０と通信可能に接続されている。
このスライド管理サーバ３０には、Ｈ製薬会社の販売薬剤の説明用のスライドである販売薬剤スライド等が蓄積され、記憶されている。
【００２０】
この蓄積されている説明スライドは、例えば、ＰＤＦ（「Ｐｏｒｔａｂｌｅ  Ｄｏｃｕｍｅｎｔ  Ｆｏｒｍａｔ」（ポータブル・ドキュメント・フォーマット））等の説明スライドとなっており、説明スライドは、１頁毎のスライドに容易に分割し、利用できる構成となっている。
また、本実施の形態では、説明スライドがＰＤＦの場合について説明しているが、本発明では、これに限らず、動画やテキスト等の説明スライドであっても構わない。
【００２１】
また、図１のＭＲ用端末１０ａ、１０ｂと評価者用端末１０ｃは、その中央部に縦長の長方形を成す「タッチパネル型ディスプレイ１２ａ、１２ｂ、１２ｃ」を有している。タッチパネルは、表示部である例えば、ディスプレイと、位置入力装置を組み合わせた電子部品であり、ディスプレイ上の表示に利用者が触れることで各種情報を入力できる入力装置である。
【００２２】
また、ＭＲ用端末１０ａ、１０ｂ及び評価者用端末１０ｃは、タッチパネル型ディスプレイ１２ａ、１２ｂ、１２ｃ以外に、入力ボタン１４ａ、１４ｂ、１４ｃを有している。
【００２３】
上述のＭＲ用端末１０ａ、１０ｂ、評価者用端末１０ｃ及びスライド管理サーバ３０は、コンピュータを有し、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００２４】
図２は、図１のＭＲ用端末１０ａ、１０ｂ及び評価者用端末１０ｃの主な構成を示す概略ブロック図である。
ＭＲ用端末１０ａ、１０ｂ及び評価者用端末１０ｃの構成は共通するため、以下、ＭＲ用端末１０ａを例に説明する。
【００２５】
図２に示すように、ＭＲ用端末１０ａは、「端末側制御部１１ａ」を有し、ＭＲ用端末１０ａが、図１のスライド管理サーバ３０等と通信するための「端末側通信装置１３ａ」、上述した「タッチパネル型ディスプレイ１２ａ」及び「入力ボタン１４ａ」等を制御する他、図２に示すように、各種音声情報を入力可能な「マイクロフォン１６ａ」や「端末側各種情報記憶部１５ａ」も制御する構成となっている。
【００２６】
図３は、図１のスライド管理サーバ３０の主な構成を示す概略ブロック図である。
図３に示すように、スライド管理サーバ３０は、「サーバ側制御部３１」を有し、スライド管理サーバ３０が、ＭＲ用端末１０ａ等と通信するための「サーバ側通信装置３２」、各種情報を表示する表示部である例えば、「サーバ側ディスプレイ３３」及び各種情報を入力する「サーバ側入力装置３４」を制御している。
【００２７】
また、サーバ側制御部３１は、図３に示す「第１のサーバ側各種情報記憶部４０」、「第２のサーバ側各種情報記憶部５０」、「第３のサーバ側各種情報記憶部６０」、「第４のサーバ側各種情報記憶部７０」及び「第５のサーバ側各種情報記憶部８０」も制御する。
図４乃至図８は、図３の第１のサーバ側各種情報記憶部４０乃至第５のサーバ側各種情報記憶部８０の主な構成を示す概略ブロック図である。これらの内容については、後述する。
【００２８】
（スライド説明練習工程）
図９及び図１０は、ＭＲが説明対象者である例えば、医師等の医療従事者にＨ製薬会社の販売薬剤の説明を説明スライドを用いて行う練習等の工程を示す概略フローチャートである。
本実施の形態では、ＭＲ（Ｘ）が図１のＭＲ用端末１０ａを用いて、自己の担当医師等にＨ製薬会社の販売薬剤である例えば、「α抗がん剤」の説明を説明スライドを用いて行う練習を行う例で説明する。
【００２９】
先ず、図９のステップ（以下「ＳＴ」とする。）１では、ＭＲ（Ｘ）が、自己のＭＲ用端末１０ａのタッチパネル型ディスプレイ１２ａに、図４の「販売薬剤スライド記憶部４１」に記憶されている販売薬剤の「販売薬剤スライド一覧」を表示させ、選択画面も表示させる。
この販売薬剤は、上述のようにＨ製薬会社が販売している販売薬剤で、例えば、「α抗がん剤」等が含まれている。
また、販売薬剤スライド記憶部４１には、この「α抗がん剤」等の説明用のスライド群が相互に関連つけて記憶されている。
【００３０】
以下、図４の販売薬剤スライド記憶部４１を例に、詳細に説明する。
図４で示す「α抗がん剤」（販売薬剤）の説明スライド群が「種類別説明スライド部」の一例であり、かかる販売薬剤の他の種類についても同様に記憶されている（図示せず）。
また、この「α抗がん剤」の説明スライド群は、図４に示すように、「訪問対象」の相違により分類されている。
具体的には、「大学病院」、「市民病院」、「一般病院」及び「開業医」に分類されている。
すなわち、各病院の種類に合致させた「α抗がん剤」の説明スライドが関連付けて記憶されている。
この「訪問対象」である「大学病院」等が「属性情報」の一例となっている。
【００３１】
また、各属性情報である「大学病院」等毎に、「使用度合」の選択情報が関連付けられている。
例えば、「α抗がん剤」を使用していない「不使用」、入院後に使用することがある「入院後使用」、手術後に使用することがある「手術後使用」、退院後に使用することがある「退院後使用」等である。
このような「使用度合」を尋ねる説明スライドが「第１説明スライド部」の一例であり、これらの説明スライドは、「訪問対象」の説明スライドと関連付けて記憶されている。
【００３２】
また、これら「使用度合」の各説明スライドは、その使用度合の内容に合致する以下の「説明スライド（１）」と関連付けて記憶されている。
具体的には、「不使用」の場合は「α抗がん剤使用のガイドライン」の説明スライド、「入院後使用」の場合は、「入院後使用に適した併用薬剤使用例」の説明スライド、「退院後使用」の場合は、「退院後使用に適した併用薬剤使用例」の説明スライドがそれぞれ関連付けられている。
【００３３】
また、これら「α抗がん剤使用のガイドライン」、「入院後使用に適した併用薬剤使用例」及び「退院後使用に適した併用薬剤使用例」は、それぞれ内容が対応し、関連している他の説明スライドである「説明スライド（２）」と関連付けられている。
すなわち、「α抗がん剤使用のガイドライン」の場合は、「併用薬剤使用例」の説明スライド、「入院後使用に適した併用薬剤使用例」の場合は、「入院後使用に適した他の併用薬剤使用例」の説明スライド及び「退院後使用に適した併用薬剤使用例」の場合は、「退院後使用に適した他の併用薬剤使用例」の説明スライドと関連付けられている。
【００３４】
これら「α抗がん剤使用のガイドライン」等や「併用薬剤使用例」等が「第２説明スライド部」の一例となっている。
【００３５】
したがって、本実施の形態では、説明対象者である医師等の属性や使用度合等に応じて、最も適した販売薬剤の説明スライドが自動的に提示可能な構成となっている。
【００３６】
図９のＳＴ１では、上述のように、ＭＲ（Ｘ）が、自己のＭＲ用端末１０ａのタッチパネル型ディスプレイ１２ａに、図４の「販売薬剤スライド記憶部４１」に記憶されている販売薬剤の「販売薬剤スライド一覧」を表示させ、選択画面も表示させる。
ＭＲ（Ｘ）は、近々大病院の医師に「α抗がん剤」の説明をする予定となっているため、この説明スライドの説明練習をするため、この「販売薬剤スライド一覧」から、例えば、「α抗がん剤」を選択する。
具体的には、タッチパネル型ディスプレイ１２ａを操作して選択情報を入力する。
【００３７】
すなわち、ＳＴ２及びＳＴ３で特定の販売薬剤スライド、例えば、「α抗がん剤」が選択される。
次いで、ＳＴ４へ進む。ＳＴ４では、図５の「訪問対象選択画面表示処理部（プログラム）５１」が動作し、図４の「販売薬剤スライド記憶部４１」の特定の販売薬剤スライド、例えば、「α抗がん剤スライド」の「訪問対象」欄を参照する。
そして、訪問対象者の選択画面、「α抗がん剤」の場合は、「大学病院」「市民病院」「一般病院」「開業医」をＭＲ用端末１０ａのタッチパネル型ディスプレイ１２ａに表示させる。
【００３８】
この画面を視認したＭＲ（Ｘ）は、訪問予定の医師等が該当する特定の訪問対象者、例えば、「大学病院」を選択する（ＳＴ５及びＳＴ６）。
具体的には、タッチパネル型ディスプレイ１２ａを操作して選択情報を入力する。
【００３９】
次いで、ＳＴ７へ進む。ＳＴ７では、図５の「使用度合選択画面表示処理部（プログラム）５２」が動作し、図４の「販売薬剤スライド記憶部４１」の特定の販売薬剤スライド、例えば、「α抗がん剤」の特定の訪問対象者、例えば、「大学病院」の「使用度合」欄を参照する。
そして、「使用度合」の選択画面、例えば、「不使用」「入院後使用」「手術後使用」「退院後使用」をＭＲ用端末１０ａのタッチパネル型ディスプレイ１２ａに表示する。
【００４０】
この画面を視認したＭＲ（Ｘ）は、訪問予定の医師等の「α抗がん剤」の使用状況から該当する使用度合の選択画面、例えば、「不使用」を選択する（ＳＴ８及びＳＴ９）。
具体的には、タッチパネル型ディスプレイ１２ａを操作して選択情報を入力する。
【００４１】
次いで、ＳＴ１０へ進む。ＳＴ１０では、図５の「説明スライド（１）表示処理部（プログラム）５３」が動作し、図４の「販売薬剤スライド記憶部４１」の特定の販売薬剤スライド、例えば、「α抗がん剤」の特定の訪問対象者、例えば、「大学病院」の特定の使用度合、例えば、「不使用」を参照する。
そして、対応する「説明スライド（１）」の例えば、「α抗がん剤使用のガイドライン」の説明スライドを選択し、ＭＲ用端末１０ａのタッチパネル型ディスプレイ１２ａに表示する。
【００４２】
このように本実施の形態では、例え経験の浅いＭＲ（説明者）であっても、様々な属性情報を有する医師（説明対象者）向きの適切な説明スライドが自動的に表示されるので、効果的な練習をすることができる。
【００４３】
次いで、ＳＴ１１へ進む。ＳＴ１１では、ＭＲ（Ｘ）がタッチパネル型ディスプレイ１２ａに表示されている説明スライドに従い、説明の練習を開始する。
そして、ＭＲ用端末１０ａのマイクロフォン１６ａが、かかるＭＲ（Ｘ）の説明の音声を図５の「練習説明記憶部５４」に記憶する。
なお、本実施の形態では、音声としたが本発明は音声に限らず音声付き画像の情報であっても構わない。その場合は、ＭＲ用端末にカメラが配置される。
この音声情報が、「発明者音声情報」の一例であり、練習説明記憶部５４が、「練習情報記憶部」の一例となっている。
【００４４】
次いで、ＳＴ１２へ進む。ＳＴ１２では、関連スライドの説明をするか否かを尋ねる画面が表示される。
ＳＴ１２で、関連スライドの説明をする旨の入力があると、ＳＴ１３へ進む。具体的には、タッチパネル型ディスプレイ１２ａを操作して情報の入力を行う。
【００４５】
ＳＴ１３では、図５の「説明スライド（２）表示処理部（プログラム）５５」が動作し、図４の「販売薬剤スライド記憶部４１」の特定の販売薬剤スライド、例えば、「α抗がん剤」を参照する。
そして、「説明スライド（１）」、例えば、「α抗がん剤のガイドライン」と対応する「説明スライド（２）」、例えば、「併用薬剤使用例」を選択し、ＭＲ用端末１２ａのタッチパネル型ディスプレイ１２ａに表示する。
【００４６】
したがって、ＭＲ（Ｘ）は、「説明スライド（１）」、例えば、「α抗がん剤のガイドライン」と関連のある説明スライドである「併用薬剤使用例」の説明を連続して行うことができる。
また、この関連する「併用薬剤使用例」の説明スライドは、自動的に選択されるので、経験の浅いＭＲ（説明者）であっても、容易に選択が可能で、且つ、効果的な説明スライド説明の練習をすることができる。
【００４７】
次いで、ＳＴ１４へ進む。ＳＴ１４では、ＭＲ（Ｘ）がタッチパネル型ディスプレイ１２ａに表示されている説明スライドに従い、説明の練習を開始する。
そして、ＭＲ用端末１０ａのマイクロフォン１６ａが、かかるＭＲ（Ｘ）の説明の音声を図５の「練習説明記憶部５４」に記憶する。
【００４８】
以上で、ＭＲ（Ｘ）による「α抗がん剤」の説明が終了するので、次いで、ＳＴ１５へ進む。
ＳＴ１５では、図５の「練習説明記憶部５４」のＭＲ（Ｘ）の説明内容のデータを図１の評価者（Ｚ）の端末である評価者用端末１０ｃへ送信する。
このＭＲ（Ｘ）の練習内容のデータを受領した評価者（Ｚ）は、ＭＲ（Ｘ）の説明内容を評価し、その評価情報を評価者用端末１０ｃに入力する。
【００４９】
このように、本実施の形態では、説明者であるＭＲ（Ｘ）の説明スライドの説明内容のデータは自動的に、その内容を評価する評価者用端末１０ｃに送信されるので、評価者（Ｚ）のスケジュール等にかかわらず適切にその評価情報を得ることができる。
【００５０】
次いで、ＳＴ１６へ進む。ＳＴ１６では、評価者用端末１０ｃに入力された評価情報を図４の「販売薬剤スライド記憶部４１」の「評価」欄に、説明者識別情報である例えば、「当該ＭＲ（Ｘ）の識別情報」及び「評価者の識別情報」と関連付けて記憶する。
【００５１】
したがって、ＭＲ（Ｘ）は、自己のＭＲ用端末１０ａを介して、スライド管理サーバ３０にアクセスすることで、容易且つ時間的に制約されることなく、自己の説明スライドの説明の練習の評価を確認することができる。
【００５２】
（スライド修正工程）
図１１及び図１３は、ＭＲ（Ｘ）の上司であるＭＲ（Ｙ）がＭＲ用端末１０ｂを介して、図４の「販売薬剤スライド記憶部４１」内に記憶されている説明スライドを修正等する工程を示す概略フローチャートである。
【００５３】
先ず、ＭＲ（Ｙ）は、自己のＭＲ用端末１０ｂを介して、スライド管理サーバ３０へアクセスし、図４の「販売薬剤スライド記憶部４１」に記憶されている説明スライドの修正モードをリクエストし、修正工程が開始される。
ＳＴ２１では、図６の「販売薬剤スライド選択処理部（プログラム）６１」が動作し、
図４の「販売薬剤スライド記憶部４１」を参照し、ＭＲ（Ｙ）のＭＲ用端末１２ｂのタッチパネル型ディスプレイ１２ａに「販売薬剤スライド一覧」を表示する。
また、「販売薬剤選択画面」を表示する。
【００５４】
次いで、タッチパネル型ディスプレイ１２ａに表示された「販売薬剤スライド一覧」と「販売薬剤選択画面」を視認したＭＲ（Ｙ）は、修正を希望する販売薬剤、例えば、「α抗がん剤」を選択する（ＳＴ２２）。
【００５５】
次いで、ＳＴ２３へ進む。ＳＴ２３では、選択した「選択販売薬剤」、例えば、「α抗がん剤」を図６の「選択販売薬剤記憶部６２」に記憶する。
【００５６】
次いで、ＳＴ２４へ進む。ＳＴ２４では、図６の「修正項目データ選択表示処理部（プログラム）６３」が動作し、図６の「選択販売薬剤記憶部６２」を参照し、記憶されている例えば、「α抗がん剤」の情報を取得する。
そして、図４の「販売薬剤スライド記憶部４１」から対応する「販売薬剤」の「α抗がん剤」の項目データ、例えば、「訪問対象」「使用度合」「説明スライド（１）」「説明スライド（２）」等の一覧をＭＲ用端末１０ｂのタッチパネル型ディスプレイ１２ｂに表示する。
さらに、修正を希望する項目データの選択画面も表示する。
【００５７】
次いでタッチパネル型ディスプレイ１２ｂに表示された「項目データ一覧」と「項目データの選択画面」を視認したＭＲ（Ｙ）は、修正を希望する項目データ、例えば、「使用度合」を選択する（ＳＴ２５）。
ＳＴ２５で、選択されると、修正を希望する項目データ、例えば、「使用度合」は、図６の「項目データ記憶部６４」に記憶する。
【００５８】
次いで、ＳＴ２６へ進む。ＳＴ２６では、「具体的項目データ表示処理部（プログラム）６５」が動作し、図６の「項目データ記憶部６４」から例えば、「使用度合」のデータを取得する。
そして、図４の「販売薬剤スライド記憶部４１」を参照し、「使用度合」の具体的項目、例えば、「不使用」「入院後使用」「手術後使用」「退院後使用」と、修正画面をＭＲ用端末１０ｂのタッチパネル型ディスプレイ１２ｂに表示する。
【００５９】
次いでタッチパネル型ディスプレイ１２ｂに表示された「具体的項目一覧」と「修正画面」を視認したＭＲ（Ｙ）は、修正事項を入力する。
例えば、「不使用」「入院後使用」「手術後使用」「退院後使用」に「在宅リハビリ後使用」を追加入力する。
【００６０】
次いで、ＳＴ２７で、入力が確認されると、ＳＴ２８へ進む。ＳＴ２８では、図７の「修正事項記憶処理部（プログラム）７１」が動作し、入力された修正事項（例えば、「不使用」「入院後使用」「手術後使用」「退院後使用」に「在宅リハビリ後使用」を追加）を図４の「販売薬剤スライド記憶部４１」に記憶し、修正部分を暫定データ（例えば、太字）として記憶する。
【００６１】
図１４は、修正事項が記憶された「販売薬剤スライド記憶部４１」を示す概略説明図である。
図１４に示すように、修正部分は、未確定修正情報であるため他の情報と区別し得る状態である例えば、太字として、暫定データであることを示して記憶する。
【００６２】
すなわち、本実施の形態では、ＭＲ（Ｙ）のみが修正事項を入力した場合でも、その修正事項は、スライド管理サーバ３０に記憶され、関係者である例えば、他のＭＲ等が閲覧し、かかるデータの取得が可能な状態となっている。
このため、当該入力データが未だ信頼性の低いデータであることを示すために他の文字が標準文字なのに対し、当該修正事項を太字として注意を喚起している。
【００６３】
このように構成することで、ＭＲ（Ｙ）が入力した事項を関係者間で共有することができると共に、信頼性が未だ低いことも共有でき、しかも、かかる情報を迅速に共有することができる。
【００６４】
次いで、ＳＴ２９へ進む。ＳＴ２９では、図７の「修正事項関連スライド項目表示処理部（プログラム）７２」が動作し、図４の「販売薬剤スライド記憶部４１」を参照し、修正部分（例えば、太字部分）を有する項目と関連する他の項目、例えば、「説明スライド（１）」と「説明スライド（２）」をＭＲ用端末１０ｂのタッチパネル型ディスプレイ１２ｂに表示する。
【００６５】
次いで、ＭＲ（Ｙ）は、タッチパネル型ディスプレイ１２ｂに表示された「説明スライド（１）」と「説明スライド（２）」について、修正事項を入力したいタイトル（「説明スライド（１）」及び／又は「説明スライド（２）」）を選択する。
本実施の形態では、ＭＲ（Ｙ）は、ＭＲ用端末１２ｂを操作して、「説明スライド（１）」及び「説明スライド（２）」を選択する。
【００６６】
次いで、ＳＴ３０で、タイトルが選択されたと判断されると、ＳＴ３１へ進む。ＳＴ３１では、選択されたタイトルに対応する「他の項目」、例えば、「説明スライド（１）」と「説明スライド（２）」の修正画面をタッチパネル型ディスプレイ１２ｂに表示する。
【００６７】
次いで、ＭＲ（Ｙ）は、タッチパネル型ディスプレイ１２ｂに表示された「修正画面」に従い、修正事項を入力する。例えば、「説明スライド（１）」として「在宅リハビリ後使用に適した併用薬剤使用例」の説明スライドを入力すると共に、「説明スライド（２）」として「在宅リハビリ後使用に適した他の併用薬剤使用例」の説明スライドを入力する。
【００６８】
次いで、ＳＴ３２で、入力が確認されると、ＳＴ３３へ進む。ＳＴ３３では、図７の「修正事項関連スライド項目変更処理部（プログラム）７３」が動作し、入力された修正事項、例えば、「説明スライド（１）」として「在宅リハビリ後使用に適した併用薬剤使用例」、「説明スライド（２）」として「在宅リハビリ後使用に適した他の併用薬剤使用例」を図４の「販売薬剤スライド記憶部４１」に記憶し、修正部分を暫定データ（例えば、太字で表示）として記憶する。
具体的には、図１４に示すように、修正部分は、例えば、太字として、暫定データであることを示して記憶される。
【００６９】
次いで、ＳＴ３４で修正事項の入力が終了したと判断したときは、ＳＴ３５へ進む。ＳＴ３５では、ＭＲ（Ｙ）のＭＲ用端末１０ｂのタッチパネル型ディスプレイ１２ｂに、修正後の説明スライドデータを他の端末に送信するか否かを尋ねる画面を表示する。
【００７０】
次いで、ＳＴ３６でＭＲ（Ｙ）がＭＲ用端末１０ｂを介して「他の端末に送信する」旨の入力を行うと、ＳＴ３７へ進む。
ＳＴ３７では、図７の「メールアドレス情報記憶部７４」を参照し、各端末、例えば、ＭＲ用端末１０ａ、ＭＲ用端末１０ｂ、評価者用端末１０ｃ等のメールアドレス情報と選択画面をＭＲ用端末１０ｂのタッチパネル型ディスプレイ１２ｂに表示する。
【００７１】
次いで、ＳＴ３６では、「メールアドレスを選択したか否か」を判断する。本実施の形態では、ＭＲ（Ｙ）が、例えば、自己の部下であるＭＲ（Ｘ）に、自己の修正後の説明スライドを報知させるため、ＭＲ用端末１０ａを選択する。
【００７２】
次いで、ＳＴ３９へ進む。ＳＴ３９では、図７の「スライド情報送信処理部（プログラム）７５」が動作し、修正した説明スライドを含む「販売薬剤スライド部４１」（図１４）の「α抗がん剤」の説明スライドを、選択したメールアドレス、例えば、ＭＲ用端末１０ａに送信する。
そして、送信時刻、送信先情報である送信先端末（例えば、ＭＲ用端末１０ａ）、送信元情報である送信元端末（例えば、ＭＲ用端末１０ｂ）、送信対象情報である例えば、「修正後のα抗がん剤」の説明スライドの各情報を相互に関連付けて、図８の「送信情報記憶部８１」に記憶させる。
【００７３】
このように、本実施の形態では、修正したＭＲ（Ｙ）は、自己が修正した説明スライド等（α抗がん剤スライド）を迅速に関連する担当者、例えば、部下等の端末（ＭＲ用端末１０ａ）に送信し、その変更内容を告知することができる。
また、「送信情報記憶部８１」には、送信時刻、送信先端末（例えば、ＭＲ用端末１０ａ）、送信元端末（例えば、ＭＲ用端末１０ｂ）、送信対象情報である例えば、「修正後のα抗がん剤」の説明スライドの各情報を相互に関連付けて記憶されているので、Ｈ製薬会社の組織内等における人間関係等を容易に把握することができる。
さらに、有効な情報を提供しない事実等の不作為状態も把握できるので、組織内における問題点等を分析するための有効な情報ともなる。
【００７４】
次いで、ＳＴ４０に進む。ＳＴ４０では、図８の「スライド修正確定判断処理部（プログラム）８２」が動作し、同じ内容の修正説明スライド（ＭＲ用端末１０ａから入力された上述の図１４に示す「α抗がん剤」説明スライド）の修正回数が所定回数に達したか否か（「所定条件を具備したか否か」の一例）を判断する。
すなわち、同様の説明スライドの修正が所定回数なされた否かを判断する。
【００７５】
次いで、ＳＴ４１で、同様の説明スライドの修正が所定回数なされたと判断されたときは、ＳＴ４２へ進む。
ＳＴ４２では、当該修正説明スライド（ＭＲ用端末１０ａから入力された上述の図１４に示す「α抗がん剤」説明スライド）を確定データ（確定修正情報の一例）、例えば、太字から標準文字に変更して、図１５に示すように「販売薬剤スライド記憶部４１」に記憶させる。
図１５は、確定データとされた修正事項が記憶された「販売薬剤スライド記憶部４１」を示す概略説明図である。
【００７６】
このように、各端末からアクセスでき、閲覧やデータの取得等が可能なスライド管理サーバ３０の「販売薬剤スライド記憶部４１」に記憶されている
このため、当該入力データが所定の信頼性が高いデータとなったときは、そのことを示すため、表示を変更し、各端末を介して「販売薬剤スライド記憶部４１」にアクセスする利用者の便宜を図っている。
【００７７】
なお、本発明は上述の実施の形態に限らない。
本発明では、本実施の形態と異なり、「スライド説明練習工程」のＳＴ１６等で評価者が「優」「良」「可」「不可」等の「評価情報」のみならず、修正スライド等の具体的な変更内容を音声又は動画等で入力可能としても構わない。
そして、「スライド修正工程」のＳＴ２１乃至ＳＴ４２により、かかる評価者の修正説明スライドを「販売薬剤スライド記憶部４１」に記憶させるようにしても構わない。
この場合、入力された修正説明スライド等は評価者によるデータであるため、「暫定データ」ではなく、当初より「確定データ」として登録しても構わない。
このように構成することで、ＭＲが練習を重ねることで、説明スライドが追加され、ＭＲが所属するチーム及びＨ製薬会社全体での経験値が高まることになる。
【００７８】
また、本実施の形態では、「スライド練習工程」で「属性」等の相違により、表示される説明スライドが予め定まっている構成となっているが、本発明ではこれに限らず、説明者が自由に説明スライドと属性等の組み合わせを定める構成としても良い。
このように構成することで、同じ属性でも、説明者によって異なる組み合わせとすることが可能となる。
【符号の説明】
【００７９】
１・・・販売薬剤スライド管理システム、２・・・インターネット網、３ａ、３ｂ、３ｃ・・・基地局、１０ａ、１０ｂ・・・ＭＲ用端末、１０ｃ・・・評価者用端末、１１ａ、１１ｂ、１１ｃ・・・端末側制御部、１２ａ、１２ｂ、１２ｃ・・・タッチパネル型ディスプレイ、１３ａ、１３ｂ、１３ｃ・・・端末側通信装置、１４ａ、１４ｂ、１４ｃ・・・入力ボタン、１５ａ、１５ｂ、１５ｃ・・・端末側各種情報記憶部、１６ａ、１６ｂ、１６ｃ・・・マイクロフォン、３０・・・スライド管理サーバ、３１・・・サーバ側制御部、３２・・・サーバ側通信装置、３３・・・サーバ側ディスプレイ、３４・・・サーバ側入力装置、４０・・・第１のサーバ側各種情報記憶部、４１・・・販売薬剤スライド記憶部、５０・・・第２のサーバ側各種情報記憶部、５１・・・訪問対象選択画面表示処理部（プログラム）、５２・・・使用度合選択画面表示処理部（プログラム）、５３・・・説明スライド（１）表示処理部（プログラム）、５４・・・練習説明記憶部、５５・・・説明スライド（２）表示処理部（プログラム）、６０・・・第３のサーバ側各種情報記憶部、６１・・・販売薬剤スライド選択処理部（プログラム）、６２・・・選択販売薬剤記憶部、６３・・・修正項目データ選択表示処理部（プログラム）、６４・・・項目データ記憶部、６５・・・具体的項目データ表示処理部（プログラム）、７０・・・第４のサーバ側各種情報記憶部、７１・・・修正事項記憶処理部（プログラム）、７２・・・修正事項関連スライド項目表示処理部、７３・・・修正事項関連スライド項目変更処理部（プログラム）、７４・・・メールアドレス情報記憶部、７５・・・スライド情報送信処理部（プログラム）、８０・・・第５のサーバ側各種情報記憶部、８１・・・送信情報記憶部、８２・・・スライド修正確定判断処理部（プログラム）
【図１】
2018084936.tif 000003
【図２】
2018084936.tif 000004
【図３】
2018084936.tif 000005
【図４】
2018084936.tif 000006
【図５】
2018084936.tif 000007
【図６】
2018084936.tif 000008
【図７】
2018084936.tif 000009
【図８】
2018084936.tif 000010
【図９】
2018084936.tif 000011
【図１０】
2018084936.tif 000012
【図１１】
2018084936.tif 000013
【図１２】
2018084936.tif 000014
【図１３】
2018084936.tif 000015
【図１４】
2018084936.tif 000016
【図１５】
2018084936.tif 000017